(57)【要約】【課題】カード読取装置の細いスリットに磁気カードを挿入するのは難しく、また、スリットは直線上であるため、操作者の自然な動作が阻害される【解決手段】各種情報を表示する表示部１と、磁気カードを読み取るカード読取装置２とから構成され、カード読取装置は、スリット３と、カード読取部４とから構成され、スリット３は、カード挿入部５と、カード取り出し部６とから構成される。カード挿入部５は、操作者側である手前側の内壁８はスリット奥行き方向及びスライド方向に傾斜するスロープ形状部７を形成しており、一方カード取り出し部６は、操作者側である手前側の内壁８は操作者側方向に曲面上に傾斜する曲面形状部１０を形成している。【選択図】      図１
2004185098.tif 000002
【特許請求の範囲】
【請求項１】
手動により磁気カードのスライドをガイドするために対向する内壁及び底面部とを有するスリットと、当該内壁の何れかの内壁に設けられ磁気カードを読み取る磁気読取部とを備えるカード読取装置において、
当該内壁の何れか一方の内壁又は両内壁は、磁気カードの挿入部にスリット奥行き方向及びスライド方向に傾斜するスロープ形状部を有することを特徴とするカード読取装置。
【請求項２】
前記内壁の何れか一方の内壁は、他の内壁よりも小さく形成することを特徴とする請求項１に記載のカード読取装置。
【請求項３】
前記スロープ形状部を有する内壁は、当該スロープ形状部を有さない内壁よりも小さく形成することを特徴とする請求項１に記載のカード読取装置。
【請求項４】
前記内壁の何れか一方の内壁は、突き当て面を有することを特徴とする請求項１に記載のカード読取装置。
【請求項５】
前記突き当て面は、前記スロープ形状部を有しない内壁に有することを特徴とする請求項４に記載のカード読取装置。
【請求項６】
手動により磁気カードのスライドをガイドするために対向する内壁及び底面部とを有するスリットと、当該内壁の何れかの内壁に設けられ磁気カードを読み取る磁気読取部とを備えるカード読取装置において、
当内壁の何れかの一方の内壁又は両内壁は、磁気カードの取り出し部に対向する内壁から離れる方向に曲面上に傾斜する曲面形状部を有することを特徴とするカード読取装置。
【請求項７】
前記曲面形状部は、前記スロープ形状部を有する内壁に有することを特徴とする請求項１及び６に記載のカード読取装置。
【請求項８】
表示装置の側面に、手動により磁気カードのスライドをガイドするために対向する内壁及び底面部とを有するスリットと、当該内壁の何れかの内壁に設けられ磁気カードを読み取る磁気読取部とを備えるカード読取装置付き表示装置において、
当該内壁の何れか一方の内壁又は両内壁は、磁気カードの挿入部にスリット奥行き方向及びスライド方向に傾斜するスロープ形状部を有することを特徴とするカード読取装置。
【請求項９】
前記スロープ形状部は、操作者側の手前側の内壁に有することを特徴とする請求項８に記載のカード読取装置付き表示装置。
【請求項１０】
前記内壁の何れか一方の内壁は、他の内壁よりも小さく形成することを特徴とする請求項８又は９に記載のカード読取装置。
【請求項１１】
前記スロープ形状部を有する内壁は、当該スロープ形状部を有さない内壁よりも小さく形成することを特徴とする請求項８又は９に記載のカード読取装置。
【請求項１２】
前記内壁の何れか一方の内壁は、突き当て面を有することを特徴とする請求項８又は９に記載のカード読取装置。
【請求項１３】
前記突き当て面は、前記スロープ形状部を有しない内壁に有することを特徴とする請求項１２に記載のカード読取装置。
【請求項１４】
前記突き当て面は、操作者側の奥側の内壁に有することを特徴とする請求項１２に記載のカード読取装置付き表示装置。
【請求項１５】
表示装置の側面に、手動により磁気カードのスライドをガイドするために対向する内壁及び底面部とを有するスリットと、当該内壁の何れかの内壁に設けられ磁気カードを読み取る磁気読取部とを備えるカード読取装置付き表示装置において、
当内壁の何れかの一方の内壁又は両内壁は、磁気カードの取り出し部に対向する内壁から離れる方向に曲面上に傾斜する曲面形状部を有することを特徴とするカード読取装置。
【請求項１６】
前記曲面形状部は、前記スロープ形状部を有する内壁に有することを特徴とする請求項８及び１５に記載のカード読取装置付き表示装置。
【請求項１７】
前記曲面形状部は、操作者側の手前側の内壁に有することを特徴とする請求項１５に記載のカード読取装置付き表示装置。
【発明の詳細な説明】
【０００１】
【発明の属する技術分野】
本発明は、磁気カードを読み取るカード読取装置に関し、特に、磁気カードの操作性に鑑みたカード読取装置に関する。
【０００２】
【従来の技術】
従来のカード読取装置付き表示装置は、図１２及び図１３に示すようなものがある。図に示すように、表示部と、表示部の側面に設けられたカード読取装置とから構成されており、カード読取装置は、磁気カードをカード読取部に対してスライド可能にガイドするスリットと、磁気カードをスリットに挿入するカード挿入部と、磁気カードをスリットから取り出すカード取り出し部と、から構成される。
【０００３】
このスリットは、表示部の側面に設けられたカード読取装置の上部にあるカード挿入部から下部にあるカード取り出し部にかけて１本の直線形状となっている。
【０００４】
また、磁気カードをスリットに挿入しやすくするため、図１４に示すように、カード読取装置の操作者側の面を大きく削り取る構成としたカード読取装置付き表示装置がある。
【０００５】
操作者は、磁気カードをカード読取装置の奥側の面に突き当て、奥側の面に沿って下方にスライドさせると、磁気カードがスリットに挿入する構成になっている。
【０００６】
【特許文献１】
特開昭５９−１８５００６号公報
【０００７】
【発明が解決しようとする課題】
しかし、従来のカード読取装置付き表示装置は、カード挿入部は直線形状のスリットとなっているため、磁気カードの挿入口が狭く、狙いをつけてもカードをスリットに挿入しにくいという問題があった。
【０００８】
図１４に示すカード読取装置付き表示装置でも、磁気カードを奥側の面に突き当てながら下方にスライドすればスリットに挿入することが可能であるが、磁気カードを奥側の面に突き当てた状態を維持して可能にスライドしなければならず、依然操作性の良い挿入部ではなかった。
【０００９】
また、カード取り出し部については、カード挿入部の問題と同様に、直線上のスリットとなっている。しかし、人間が自然に手を動かして磁気カードを取り出す軌跡は、図１５及び図１６に示すように、人間の肩を中心に円弧を描くような曲線状となる。
【００１０】
しかし、カード取り出し部が直線上のスリットとなっていると、カード取り出し部の操作者側の面が人間の自然な動きを制限し、磁気カードに負荷がかかると共に、操作者に対しても負担を強いることになり、操作性の改善が求められていた。
【００１１】
【課題を解決するための手段】
そこで、本発明にかかるカード読取装置は、手動により磁気カードのスライドをガイドするために対向する内壁及び底面部とを有するスリットと、当該内壁の何れかの内壁に設けられ磁気カードを読み取る磁気読取部とを備えるカード読取装置において、当該内壁の何れか一方の内壁又は両内壁は、磁気カードの挿入部にスリット奥行き方向及びスライド方向に傾斜するスロープ形状部を有することとする。
【００１２】
この場合、前記内壁の何れか一方の内壁は、他の内壁よりも小さく形成することとし、前記スロープ形状部を有する内壁は、当該スロープ形状部を有さない内壁よりも小さく形成することが望ましい。
【００１３】
また、前記内壁の何れか一方の内壁は、突き当て面を有することとし、前記突き当て面は、前記スロープ形状部を有しない内壁に有することが望ましい。
【００１４】
また、手動により磁気カードのスライドをガイドするために対向する内壁及び底面部とを有するスリットと、当該内壁の何れかの内壁に設けられ磁気カードを読み取る磁気読取部とを備えるカード読取装置において、当内壁の何れかの一方の内壁又は両内壁は、磁気カードの取り出し部に対向する内壁から離れる方向に曲面上に傾斜する曲面形状部を有することとし、前記曲面形状部は、前記スロープ形状部を有する内壁に有することが望ましい。
【００１５】
一方、本発明にかかるカード読取装置付き表示装置は、表示装置の側面に、手動により磁気カードのスライドをガイドするために対向する内壁及び底面部とを有するスリットと、当該内壁の何れかの内壁に設けられ磁気カードを読み取る磁気読取部とを備えるカード読取装置付き表示装置において、当該内壁の何れか一方の内壁又は両内壁は、磁気カードの挿入部にスリット奥行き方向及びスライド方向に傾斜するスロープ形状部を有することととし、前記スロープ形状部は、操作者側の手前側の内壁に有することが望ましい。
【００１６】
この場合、前記内壁の何れか一方の内壁は、他の内壁よりも小さく形成することとし、前記スロープ形状部を有する内壁は、当該スロープ形状部を有さない内壁よりも小さく形成することが望ましい。
【００１７】
また、前記内壁の何れか一方の内壁は、突き当て面を有することとし、前記突き当て面は、前記スロープ形状部を有しない内壁に有することが望ましく、更に前記突き当て面は、操作者側の奥側の内壁に有することが望ましい。
【００１８】
また、表示装置の側面に、手動により磁気カードのスライドをガイドするために対向する内壁及び底面部とを有するスリットと、当該内壁の何れかの内壁に設けられ磁気カードを読み取る磁気読取部とを備えるカード読取装置付き表示装置において、当内壁の何れかの一方の内壁又は両内壁は、磁気カードの取り出し部に対向する内壁から離れる方向に曲面上に傾斜する曲面形状部を有することが望ましい。
【００１９】
この場合、前記曲面形状部は、前記スロープ形状部を有する内壁に有することとし、前記曲面形状部は、操作者側の手前側の内壁に有することが望ましい。
【００２０】
【発明の実施の形態】
次に、本発明の実施の形態について図面を参照して詳細に説明する。
【００２１】
図１は本発明にかかるカード読取装置付き表示装置の斜視図を示しており、図２から図４はカード読取装置の細部の構成を示している。
【００２２】
本発明にかかるカード読取装置付き表示装置は、各種情報を表示する表示部１と、磁気カードを読み取るカード読取装置２とから構成され、カード読取装置は、手動による磁気カードのスライドをガイドするために対向する内壁及び底面部とを有するスリット３と、スリット３の内壁に設けられ磁気カードに記録された情報を読み取るカード読取部４（図面では隠れた位置にある）とから構成される。スリット３は、表示装置上部に位置し磁気カードをスリットに挿入する部位であるカード挿入部５と、表示装置下部に位置し磁気カードをスリットから取り出す部位であるカード取り出し部６とから構成される。
【００２３】
カード挿入部５は、図２に示すように、操作者側である手前側の内壁８はスリット奥行き方向及びスライド方向に傾斜するスロープ形状部７を形成しており、また図３に示すように、手前側の内壁８はスロープ形状部７を有しない対向する奥側の内壁９よりも小さくしている。
【００２４】
一方カード取り出し部６は、図４に示すように、操作者側である手前側の内壁８は操作者側方向に曲面上に傾斜する曲面形状部１０を形成している。
【００２５】
次に、図５〜図７を参照して本発明にかかるカード読取装置付き表示装置の磁気カード読取動作について説明する。
【００２６】
操作者は、磁気カードに記録された情報をカード読取部４で読み込ませるため、磁気カードをカード挿入部５からスリット３に挿入し、このスリット３に沿ってスライドさせる。
【００２７】
カード挿入部５の操作者側である手前側の内壁８はスロープ形状部７を形成しており、図５の矢印で示すように、磁気カードをスロープ形状部７に沿ってカード挿入部５に潜り込ませる。また、手前側の内壁８はスロープ形状部７を有しない対向する奥側の内壁９よりも小さくしているため、図６に示すように、磁気カードを手前側の内壁８を通り越して奥側の内壁９に押し当てることにより、カード挿入部６に潜り込ませることもできる。
【００２８】
単なる直線上のスリットは挿入部が狭いため、磁気カードを上手くスリットに挿入するには慣れが必要であるが、本発明は、磁気カードをスリット３に上手く誘い込ませるように、カード挿入部５にスローブ形状部７を形成し、広い開口部からスムーズにスリット３に挿入させるようにしたものである。
【００２９】
その後、スリット３に沿って磁気カードをスライドさせると、カード読取部４によって磁気カードに記録された情報が読み取られ、更に、カード取り出し部６に至るまでスライドさせる。
【００３０】
カード取り出し部６では、操作者側である手前側の内壁８は操作者側方向に曲面上に傾斜する曲面形状部１０を形成しており、図７に示すように、操作者はスリット３からカード取り出し部６に形成される曲面形状部１０の曲面に沿って磁気カードを取り出す。
【００３１】
人は、肩を支軸に腕を回転させて、曲線を描くように手に持った磁気カードをカード読取装置に通そうとする。従って、カード取り出し部６に曲面形状部１０を形成することで、操作者は自然な腕の動作でスムーズにカードを取り出すことができる。
【００３２】
以上は、スリット３をカード読取装置２全体にかけて設けた実施例を説明してきたが、本発明は、図８及び図９に示すように、スリット３をカード読取装置２の一部に設け、磁気カードがカード読取装置を通り越さないようにカード挿入部５に突き抜け防止用の突き当て面１１を備えることもできる。
【００３３】
更に、図１０及び図１１に示すように、磁気カードがカード読取装置を通り越さないよう、スリット３の奥側の内壁９を手前側の内壁８よりもスライド反対方向（図面上方）に延長させた突き当て面を備えることもできる。
【００３４】
なお、本発明は上記構成に限定されるものではなく、本発明と同様の作用効果が得られる範囲では、例えば図８〜図９のように、構成・形状が相違することによっては本発明の範疇を越えるものではない。
【００３５】
【発明の効果】
以上説明したように本発明によれば、カード読取装置のカード挿入部にスロープ形状部を形成したことにより、このスロープ形状部が磁気カードをスムーズにカード挿入部及びスリットに導くため、慣れた操作者でなくても、磁気カードをスリットに簡単かつ自然に挿入することができる。
【００３６】
また、スロープ形状部を有する内壁を、スロープ形状部を有しない対向する内壁よりも小さくすることで、磁気カードを大きな内壁に押し当ててカード挿入部に潜り込ませることができるので、磁気カードをスリットに簡単に挿入することができる。また、磁気カードがカード読取装置を通り越すのを防止することができ、更に、カード挿入部に突き当て面を設け、また一方の内壁を他方の内壁よりスライド反対方向に延長させることで、より高い効果を期待することができる。
【００３７】
一方、カード読取装置のカード取り出し部に曲面形状部を形成したことにより、操作者が身体的に自然な動作でスリットから磁気カードを取り出すことができ、上気したスロープ形状部と併せて、磁気カードの挿入から取り出しまでの一連の動作をスムーズに、極めて自然に行うことができる。
【００３８】
また、表示装置の側面にカード読取装置を設け、上記スロープ形状部又は曲面形状部を操作者側の手前側の内壁に設けることで、特に、椅子に座ったりして決まった位置にいる操作者にとって、磁気カードの挿入から取り出しまでの一連の動作を、干渉無くスムーズに、最小限の動きで自然に行うことができる。
【００３９】
更に、奥側の内壁を手前側の内壁よりも大きくし、また奥側の内壁に突き当て面を設けることで、上記と同様に、磁気カードの操作ミスが減少し、スリットに簡単に挿入することができる。
【図面の簡単な説明】
【図１】本発明にかかるカード読取装置付き表示装置の斜視図
【図２】カード挿入部の拡大図。
【図３】カード挿入部の拡大図。
【図４】カード取り出し部の拡大図
【図５】カード挿入部５に挿入する動作を示した図。
【図６】カード挿入部５に挿入する動作を示した図。
【図７】カード取り出し部６から取り出す動作を示した図。
【図８】本発明にかかる他のカード読取装置を示した図。
【図９】図８に示すカード読取装置の側面図。
【図１０】本発明にかかる他のカード読取装置を示した図。
【図１１】図１０に示すカード読取装置の側面図。
【図１２】従来のカード読取装置付き表示装置を示した斜視図。
【図１３】従来のカード読取装置付き表示装置を示した側面図。
【図１４】従来の第２のカード読取装置付き表示装置を示した斜視図。
【図１５】人間が自然に手を動かして取り出すときの手の軌跡を示した図。
【図１６】人間が自然に手を動かして取り出すときの磁気カードの軌跡を示した図。
【符号の説明】
１：表示部
２：カード読取装置
３：スリット
４：カード読取部
５：カード挿入部
６：カード取り出し部
７：スロープ形状部
８：手前側の内壁
９：奥側の内壁
１０：曲面形状部
１１：突き当て面
１２：突き当て面
【図１】
2004185098.tif 000003
【図２】
2004185098.tif 000004
【図３】
2004185098.tif 000005
【図４】
2004185098.tif 000006
【図５】
2004185098.tif 000007
【図６】
2004185098.tif 000008
【図７】
2004185098.tif 000009
【図８】
2004185098.tif 000010
【図９】
2004185098.tif 000011
【図１０】
2004185098.tif 000012
【図１１】
2004185098.tif 000013
【図１２】
2004185098.tif 000014
【図１３】
2004185098.tif 000015
【図１４】
2004185098.tif 000016
【図１５】
2004185098.tif 000017
【図１６】
2004185098.tif 000018